(57)【要約】【課題】洗い、すすぎ、脱水および乾燥の洗濯乾燥運転の実行中に使用されない期間を有する洗濯機負荷に対応する制御部に対してその期間における暗電流の消費を低減する。【解決手段】洗い、すすぎ、脱水および乾燥の洗濯乾燥運転を実行するための複数の洗濯機負荷と、これらの洗濯機負荷を制御して前記洗濯乾燥運転を実行させる複数の制御部を有する制御装置とを備え、前記制御装置は、前記洗濯乾燥運転の実行中に使用しない期間を有する洗濯機負荷に対応する制御部に対してその期間内に電源供給を遮断する期間を設ける。【選択図】図１
2013153928.tif 000002
【特許請求の範囲】
【請求項１】
洗い、すすぎ、脱水および乾燥の洗濯乾燥運転を実行するための複数の洗濯機負荷と、
これらの洗濯機負荷を制御して前記洗濯乾燥運転を実行させる複数の制御部を有する制御装置とを備え、
前記制御装置は、前記洗濯乾燥運転の実行中に使用しない期間を有する洗濯機負荷に対応する制御部に対してその期間内に電源供給を遮断する期間を設けたことを特徴とする洗濯乾燥機。
【請求項２】
洗い、すすぎ、脱水および乾燥の洗濯乾燥運転を実行するための複数の洗濯機負荷と、
これらの洗濯機負荷を制御して前記洗濯乾燥運転を実行させる複数のマイクロコンピュータを有する制御装置とを備え、
前記制御装置は、前記洗濯乾燥運転の実行中に使用しない期間を有する洗濯機負荷に対応するマイクロコンピュータのクロックパルス発生回路に対してその期間内にクロックパルスの供給を停止させる期間を設けたことを特徴とする洗濯乾燥機。
【請求項３】
洗い、すすぎ、脱水および乾燥の洗濯乾燥運転を実行するための複数の洗濯機負荷と、
これらの洗濯機負荷を制御して前記洗濯乾燥運転を実行させる複数のマイクロコンピュータを有する制御装置とを備え、
前記制御装置は、前記洗濯乾燥運転の実行中に使用しない期間を有する洗濯機負荷に対応するマイクロコンピュータのクロックパルス発生回路に対してその期間内にクロックパルスの供給を低下させる期間を設けたことを特徴とする洗濯乾燥機。
【請求項４】
洗い、すすぎ、脱水および乾燥の洗濯乾燥運転を実行するための複数の洗濯機負荷と、
これらの洗濯機負荷を制御して前記洗濯乾燥運転を実行させる複数のマイクロコンピュータを有する制御装置とを備え、
前記制御装置は、前記洗濯乾燥運転の実行中に使用しない期間を有する洗濯機負荷に対応するマイクロコンピュータのリセット端子に対してその期間内にリセット信号を与える期間を設けたことを特徴とする洗濯乾燥機。
【請求項５】
制御装置が有する複数のマイクロコンピュータのうちの１つは、乾燥運転を実行させるための洗濯機負荷としてのヒートポンプのコンプレッサを駆動するコンプレッサモータを制御するマイクロコンピュータであり、
洗濯乾燥運転の実行中に使用しない期間を有する洗濯機負荷とは、洗濯運転中は使用しない前記コンプレッサモータであることを特徴とする請求項２ないし４のいずれかに記載の洗濯乾燥機。
【発明の詳細な説明】
【技術分野】
【０００１】
本発明の実施形態は、洗濯乾燥機に関する。
【背景技術】
【０００２】
従来より、洗濯乾燥機例えばドラム式洗濯乾燥機においては、洗い、すすぎ、脱水および乾燥の洗濯乾燥運転を実行させるための制御装置を備えており、制御装置としては、洗い、すすぎ、脱水および乾燥時に洗濯槽兼脱水槽たるドラムを回転駆動する洗濯機モータを制御する制御部たるマイクロコンピュータ（メインマイクロコンピュータ）と乾燥時にドラム内に温風を供給するためのヒートポンプのコンプレッサモータおよびファンモータを制御する制御部たるマイクロコンピュータ（サブマイクロコンピュータ）とを有する構成としたものがあり、両マイクロコンピュータ間はシリアル通信により信号の授受を行なうようになっていて、サブマイクロコンピュータはメインマイクロコンピュータからの指令に基づいて乾燥のための制御を開始するようになっている。
【０００３】
上記構成では、メインマイクロコンピュータおよびサブマイクロコンピュータには洗濯乾燥運転の開始当初から制御電源回路の制御直流電源が供給されているので、洗い、すすぎおよび脱水の洗濯運転中は、乾燥用の洗濯機負荷たるコンプレッサモータおよびファンモータは使用されない期間であるにもかかわらず、これらを制御するためのサブマイクロコンピュータに制御直流電源が供給されることになり、サブマイクロコンピュータに暗電流が流れて消費される問題があった。
【先行技術文献】
【特許文献】
【０００４】
【特許文献１】特開２００６−３３４２０３号公報
【発明の概要】
【発明が解決しようとする課題】
【０００５】
そこで、洗い、すすぎ、脱水および乾燥の洗濯乾燥運転の実行中に使用されない期間を有する洗濯機負荷に対応する制御部に対してその期間における暗電流の消費を低減することができる洗濯乾燥機を提供する。
【課題を解決するための手段】
【０００６】
本実施形態の洗濯乾燥機は、洗い、すすぎ、脱水および乾燥の洗濯乾燥運転を実行するための複数の洗濯機負荷と、これらの洗濯機負荷を制御して前記洗濯乾燥運転を実行させる複数の制御部を有する制御装置とを備え、前記制御装置は、前記洗濯乾燥運転の実行中に使用しない期間を有する洗濯機負荷に対応する制御部に対してその期間内に電源供給を遮断する期間を設けたことを特徴とする。
【図面の簡単な説明】
【０００７】
【図１】第１の実施形態のドラム式洗濯乾燥機における各モータの駆動制御系を概略的に示す図
【図２】ドラム式洗濯乾燥機の構成を示す縦断側面図
【図３】ヒートポンプの構成を示す図
【図４】マイクロコンピュータのクロックパルス発生回路を含む構成を示すブロック図
【図５】洗濯乾燥運転の各行程における各モータの使用の有無を示す図
【図６】第２の実施形態を示す図１相当図
【図７】図４相当図
【図８】第３の実施形態を示す図１相当図
【図９】図４相当図
【図１０】第４の実施形態を示す図１相当図
【図１１】作用説明図
【発明を実施するための形態】
【０００８】
以下、ドラム式洗濯乾燥機に適用した複数の実施形態について図面を参照して説明する。なお、各実施形態において実質的に同一の構成部位には同一の符号を付し、説明を省略する。
【０００９】
（第１の実施形態）
以下、第１の実施形態について図１乃至図５を参照して説明する。
まず、図２を参照する。外箱１は前板と後板と左側板と右側板と底板と天板を有する中空状をなすものであり、外箱１の前板には貫通孔状の出入口２が形成されている。この外箱１の前板には扉３が装着されている。この扉３は、使用者が前方から閉塞状態および開放状態相互間で操作可能なもので、扉３の閉塞状態では出入口２が閉塞され、扉３の開放状態では出入口２が開放される。外箱１の内部には水受槽４が弾性支持機構１１により弾性支持されている。この水受槽４は、後面が閉塞された円筒状をなすもので、軸心線ＣＬが前から後に向けて下降する傾斜状態に配置されている。この水受槽４は、前面が開口するものであり、扉３の閉塞状態では扉３が水受槽４の前面を気密状態に閉塞する。
【００１０】
水受槽４の後板には、水受槽４の外部に位置して洗濯機負荷としての洗濯機モータ５が固定されている。この洗濯機モータ５は、速度制御可能なＤＣブラシレスモータからなり、その回転軸６は水受槽４の内部に突出されている。この回転軸６は水受槽４の軸心線ＣＬに重ねて配置されたものであり、回転軸６には水受槽４の内部に位置して洗濯槽兼脱水槽たるドラム７が固定されている。このドラム７は、後面が閉塞された円筒状をなすもので、洗濯機モータ５の運転状態で回転軸６と一体的に回転する。このドラム７の前面は水受槽４の前面を介して出入口２に後方から対向しており、ドラム７の内部には扉３の開放状態で前方から出入口２と水受槽４の前面とドラム７の前面を通して洗濯物が出し入れされる。
【００１１】
ドラム７には、複数の貫通孔８が形成されており、ドラム７の内部空間は複数の貫通孔８のそれぞれを通して水受槽４の内部空間に連通されている。このドラム７には複数のバッフル９が固定されている。これら複数のバッフル９のそれぞれはドラム７が回転することに応じて軸心線ＣＬを中心に円周方向へ移動するものであり、ドラム７内の洗濯物は複数のバッフル９のそれぞれに引掛かりながら円周方向へ移動した後に重力で落下することで撹拌される。
【００１２】
外箱１の内部には、洗濯機負荷たる給水弁（電磁弁）１０が固定されている。この給水弁１０の入口は図示しない水道の蛇口に接続され、出口は注水ケース１２に接続されており、給水弁１０の通電による開放状態では、水道水が給水弁１０を通して注水ケース１２内に注入され、給水弁１０の断電による閉塞状態では、水道水が注水ケース１２内に注入されない。この注水ケース１２は、外箱１の内部に水受槽４より高所に位置して固定されたものであり、筒状の注水口１３を有している。この注水口１３は水受槽４の内部に挿入されており、給水弁１０から注水ケース１２内に注入された水道水は注水口１３から水受槽４の内部に注入される。
【００１３】
水受槽４には、最底部に位置して排水管１４の上端部が接続されており、排水管１４には洗濯機負荷たる排水弁（電磁弁）１５が介在されている。この排水弁１５の断電による閉塞状態では、注水口１３から水受槽４内に注入された水道水が水受槽４内に貯留され、排水弁１５の通電による開放状態では、水受槽４内の水道水が排水管１４を通して水受槽４の外部に排出される。
【００１４】
外箱１の底板には、水受槽４の下方に位置してメインダクト１７が固定されている。このメインダクト１７は前後方向へ指向する筒状をなすものであり、メインダクト１７の前端部には筒状の吸気口１６が形成されていて、この吸気口１６に前ダクト１８の下端部が接続されている。この前ダクト１８は上下方向へ指向する筒状をなすものであり、前ダクト１８の上端部は水受槽４の内部空間に水受槽４の前端部で接続されている。メインダクト１７の後端部にはファンケーシング１９が固定されている。このファンケーシング１９は貫通孔状の吸気口２０および筒状の排気口２１を有するものであり、ファンケーシング１９の内部空間は吸気口２０を介してメインダクト１７の内部空間に連通されている。
【００１５】
ファンケーシング１９には、ファンケーシング１９の外部に位置して洗濯機負荷たるファンモータ２２が固定されている。このファンモータ２２はファンケーシング１９の内部に突出する回転軸２３を有するものであり、回転軸２３にはファンケーシング１９の内部に位置してファン２４が固定されている。このファン２４は軸方向から空気を吸込んで径方向へ吐出する遠心式のものであり、ファンケーシング１９の吸気口２０はファン２４にファン２４の軸方向から対向し、ファンケーシング１９の排気口２１はファン２４にファン２４の径方向から対向している。
【００１６】
ファンケーシング１９の排気口２１には、後ダクト２５の下端部が接続されている。この後ダクト２５は上下方向へ指向する筒状をなすものであり、後ダクト２５の上端部は水受槽４の内部空間に水受槽４の後端部で接続されている。これら後ダクト２５とファンケーシング１９とメインダクト１７と前ダクト１８と水受槽４は、水受槽４の内部空間を始点および終点のそれぞれとする環状の循環ダクト２６を構成するものであり、扉３の閉塞状態でファンモータ２２が運転されている場合には、ファン２４が一定方向へ回転することに基づいて水受槽４内の空気が前ダクト１８内からメインダクト１７内を通してファンケーシング１９内に吸引され、ファンケーシング１９内から後ダクト２５内を通して水受槽４内に戻される。
【００１７】
外箱１の内部には、コンプレッサ（圧縮機）２７が固定されている。このコンプレッサ２７は循環ダクト２６の外部に配置されたものであり、冷媒を吐出する吐出口および冷媒を吸込む吸込口を有している。このコンプレッサ２７は洗濯機負荷たるコンプレッサモータ（以下コンプモータと称する）２８（図１参照）を駆動源とするものであり、コンプモータ２８は速度制御可能なＤＣブラシレスモータから構成されている。
【００１８】
メインダクト１７の内部には、コンデンサ（凝縮器）２９が固定されている。このコンデンサ２９は空気を加熱するものであり、蛇行状に曲折する１本の冷媒管３０の外周面に板状をなす複数の加熱フィン３１のそれぞれを接触状態で固定することから構成されている。このコンデンサ２９の冷媒管３０はコンプレッサ２７の吐出口に接続されており、コンプモータ２８の運転状態ではコンプレッサ２７の吐出口から吐出された冷媒がコンデンサ２９の冷媒管３０内に流入する。
【００１９】
外箱１の内部には、図３に示すように、キャピラリーチューブ（減圧器）３２が固定されている。このキャピラリーチューブ３２はコンデンサ２９の冷媒管３０に接続されたものであり、循環ダクト２６の外部に配置されている。このキャピラリーチューブ３２はコンデンサ２９の下流側で冷媒の流れを絞るものであり、１本のパイプから構成されている。メインダクト１７の内部には、エバポレータ（蒸発器）３３が固定されている。このエバポレータ３３は空気を冷却するものであり、コンデンサ２９よりも空気の流れの上流側に配置されている。
【００２０】
図１は、洗濯機モータ５、ファンモータ２２およびコンプモータ２８の駆動制御系を概略的に示すものである。インバータ回路３４は、６個のＩＧＢＴ（スイッチング素子）３５ａ〜３５ｆを三相ブリッジ接続して構成されており、各ＩＧＢＴ３５ａ〜３５ｆのコレクタ−エミッタ間には、フライホイールダイオード３６ａ〜３６ｆが接続されている。インバータ回路３４の各相出力端子は、洗濯機モータ５のスター結線された三相の各相巻線に接続されている。
【００２１】
インバータ回路３４において、下アーム側のＩＧＢＴ３５ｄ、３５ｅ、３５ｆのエミッタは、シャント抵抗３７ｕ、３７ｖ、３７ｗを介してグランドに接続されている。また、ＩＧＢＴ３５ｄ、３５ｅ、３５ｆのエミッタとシャント抵抗３７ｕ、３７ｖ、３７ｗとの共通接続点は、制御装置４２Ａの入力端子に接続されている。
【００２２】
そして、ファンモータ２２に対しては、同様に構成されるインバータ回路３８およびシャント抵抗３９（ｕ、ｖ、ｗ）が配置され、コンプモータ２８に対しては、インバータ回路４０およびシャント抵抗４１（ｕ、ｖ、ｗ）が配置されている。インバータ回路３８および４０の制御は、制御装置４２Ｂによって行なわれ、制御装置４２Ａ、４２Ｂは、シリアル通信による双方向通信が可能となっている。
【００２３】
インバータ回路３４、３８、４０の入力側には、駆動電源回路４３が接続されている。駆動電源回路４３は、交流（ＡＣ）１００Ｖの商用電源に対し、交流入力端子が一方側にリアクトル４４を介して接続された全波整流回路４５を有する。全波整流回路４５はダイオードブリッジで構成され、全波整流回路４５の直流出力端子間に直列接続された２個のコンデンサ４６ａ、４６ｂが接続されている。コンデンサ４６ａ、４６ｂの共通接続点は、全波整流回路４５の交流入力端子の他方側に接続されている。駆動電源回路４３は、ＡＣ１００Ｖの商用電源電圧を倍電圧全波整流し、約２８０Ｖの直流（ＤＣ）電圧をインバータ回路３４、３８および４０に駆動直流電源電圧として供給する。
【００２４】
全波整流回路４５の交流入力端子には、同様にダイオードブリッジで構成されるもう１つの全波整流回路４７が並列に接続されており、全波整流回路４７の直流出力端子間には、ＩＧＢＴ４８が接続されている。ＩＧＢＴ４８のオンオフ制御は、制御装置４２Ｂが行なう。すなわち、制御装置４２Ｂは、商用電源電圧を検出するとともに、後述するように電流センサ６８で電流を検出し、ＩＧＢＴ４８をオンオフ制御して電流を電圧に追従させることにより、力率を改善するようになっている。
【００２５】
インバータ回路３４、３８の入力端子間には、それぞれ抵抗４９ａおよび４９ｂの直列回路、抵抗５０ａおよび５０ｂの直列回路が接続されており、それぞれの共通接続点は、制御装置４２Ａ、４２Ｂの入力端子に接続されている。制御装置４２Ａ、４２Ｂは、上記各共通接続点の電圧を参照することで、インバータ回路３４、３８に入力される駆動直流電源電圧を検知する。
【００２６】
制御電源回路５１は、例えば降圧チョッパで構成され、その入力側には駆動電源回路４３の駆動直流電源が与えられるようになっている。この制御電源回路５１は、駆動直流電源電圧を降圧して、ＤＣ１５Ｖの制御直流電源とＤＣ５Ｖの制御直流電源とを生成して制御装置４２Ａに供給する。また、制御電源回路５１のＤＣ１５Ｖの制御直流電源およびＤＣ５Ｖの制御直流電源は、電源遮断回路５２を介して制御装置４２Ｂに供給されるようになっている。そして、電源遮断回路５２は、制御装置４２Ａから電源遮断指令が与えられると、制御装置４２Ｂに対するＤＣ１５Ｖの制御直流電源およびＤＣ５Ｖの制御直流電源の供給を遮断するようになっている。なお、電源遮断回路５２は、制御装置４２Ａから遮断解除指令が与えられると、電源遮断を解除する。
【００２７】
制御装置４２Ａは、制御部としてのマイクロコンピュータ（メインマイクロコンピュータ）５３Ａと、ゲートドライバ５４Ａと、Ｉ／Ｏインタフェース５５Ａとを備えており、また、制御装置４２Ｂは、制御部としてのマイクロコンピュータ（サブマイクロコンピュータ）５３Ｂと、ゲートドライバ５４Ｂとを備えている。すなわち、制御装置４２（Ａ、Ｂ）としては、複数たる２つのマイクロコンピュータ（以下マイコンと称する）５３Ａ、５３Ｂを有することになる。なお、マイコン５３Ａおよび５３Ｂは、ＤＣ５Ｖの制御直流電源が与えられて動作し、ゲートドライバ５４Ａ、５４ＢおよびＩ／Ｏインタフェース５５Ａは、ＤＣ１５Ｖの制御直流電源が与えられて動作する。
【００２８】
図４に示すように、制御装置４２Ａのマイコン５３Ａは、周知のＣＰＵ５６、ＲＯＭ５７、ＲＡＭ５８を備えているとともに、クロックパルス発生回路５９を備えている。以下このクロックパルス発生回路５９について説明する。発振回路６０は、入力側に例えば８ＭＨｚで発振する発振子（例えばセラミック発振子）６１が接続されていて、発振動作により８ＭＨｚの矩形波のクロックパルスを発生して出力する。逓倍回路６２は、発振回路６０からのクロックパルスを例えば８倍に逓倍して６４ＭＨｚのクロックパルスを生成して出力し、これがＣＰＵクロックパルスとなる。
【００２９】
逓倍回路６２からのクロックパルスは、分周回路６３及びセレクタ６４に与えられる。分周回路６３は、逓倍回路６２からのクロックパルスを２分周、４分周してセレクタ６４に与える。そして、セレクタ６４は、ＣＰＵ５６からセレクト信号（外部バスクロックセレクト信号）が与えられて、ＣＰＵ５６以外の回路を動作させるべくその回路動作の速度に応じた周波数のクロックパルスを選択して外部バスクロックパルスとして出力する。なお、制御装置４２Ｂのマイコン５３Ｂもマイコン５３Ａと同構成である。
【００３０】
制御装置４２Ａのマイコン５３Ａ（ＣＰＵ５６）は、洗濯乾燥運転においてゲートドライバ５４Ａを介して駆動回路６５にゲート信号を与えて給水弁１０若しくは排水弁１５を開放動作させるようになっている。また、制御装置４２Ａには、操作パネル６６が接続されている。この操作パネル６６は、外箱１の前板の上部に配設されたもので（図２参照）、図示はしないが、各種の操作部及び複数の表示部が設けられている。そして、マイコン５３Ａは、Ｉ／Ｏインタフェース５５Ａを介して操作パネル６６の操作部および表示部と信号の授受を行なうようになっている。
【００３１】
また、洗濯機モータ５に対しては、ロータ位置を検出するため、例えばホールＩＣなどで構成される位置センサ６７が配置されており、位置センサ６７が出力するセンサ信号は、制御装置４２Ａに与えられる。また、商用電源とリアクトル４４との間には、例えば電流トランス（ＣＴ）などからなる電流センサ６８が介挿されており、電流センサ６８が出力するセンサ信号は、制御装置４２Ｂに与えられる。
【００３２】
制御装置４２Ａ、４２Ｂは、各モータ５、２２、２８の各相巻線に流れる電流を検出して、その電流値に基づいて２次側の回転磁界の位相θおよび回転角速度ωを推定するとともに、三相電流を直交座標変換およびｄｑ(direct-quadrature)座標変換することで励磁電流成分Ｉｄ、トルク電流成分Ｉｑを得る。そして、制御装置４２Ａ、４２Ｂは外部より速度指令が与えられると、推定した位相θおよび回転角速度ω並びに電流成分Ｉｄ、Ｉｑに基づいて電流指令Ｉｄref 、Ｉｑref を生成し、それを電圧指令Ｖｄ、Ｖｑに変換すると直交座標変換および三相座標変換を行なう。最終的には、駆動信号がＰＷＭ信号として生成され、ゲートドライバ５４Ａおよび５４Ｂを介してインバータ回路３４および３８、４０の各ＩＧＢＴのゲートに与えられ、各モータ５および２２、２８の各相巻線が通電制御される。
【００３３】
次に、第１の本実施形態の作用について図５も参照して説明する。図５は、ドラム式洗濯乾燥機の洗濯乾燥運転の一連の行程において各モータの使用の有（「○」）無（「×）」）を示す図である。制御装置４２Ａの制御に基づいて、最初に、ドラム７（水受槽４）に注水した後、約４６ｒｐｍの回転数でドラム７を正逆回転させ、「洗い」の動作を行なう。それから、水受槽４から排水を行ない、「脱水１」の動作を行なった後、再度注水して「すすぎ１」の動作を行なうが、「脱水１」におけるドラム７の回転数は約１２００ｒｐｍ、「すすぎ１」については「洗い」と同様にドラム７の回転数は約４６ｒｐｍである。その後、「脱水１」および「すすぎ１」と同様の「脱水２」および「すすぎ２」の動作を行ない、続いて、ドラム７を約１７００ｒｐｍで回転させる「最終脱水」を行なう。以上のような洗濯運転が終了すると、制御装置４２Ａおよび４２Ｂの制御に基づいて、コンプモータ２８およびファンモータ２２の駆動によりコンプレッサ２７およびファン２４を動作させてドラム７に温風を送風しつつ、ドラム７を約４６ｒｐｍで正反転させる「乾燥」の動作すなわち乾燥運転を行なう。
【００３４】
図５に示すタイムチャートから明らかなように、制御装置４２Ａ（マイコン５３Ａ）により制御される洗濯機モータ５は、「洗い」行程から「乾燥」行程までの洗濯乾燥運転の実行中は使用される（運転される）が、制御装置４２Ｂ（マイコン５３Ｂ）により制御されるコンプモータ２８およびファンモータ２２は、「洗い」行程から「最終脱水」行程までの洗濯運転の実行中は使用されず（運転されず）、「乾燥」行程すなわち乾燥運転において使用されることになる。
【００３５】
そこで、この第１の実施形態においては、制御装置４２Ａは、洗濯乾燥運転が開始される前に、電源遮断回路５２に電源遮断指令を与える。これにより、電源遮断回路５２は、制御装置４２Ｂに対する制御直流電源の供給を遮断するようになり、マイコン５３Ｂおよびゲートドライバ５４Ｂには制御直流電源が供給されなくなる。制御装置４２Ａは、その後、洗濯運転が終了して乾燥運転（「乾燥」行程）に移行する時点になると、電源遮断回路５２に遮断解除指令を与えるようになり、電源遮断回路５２は制御装置４２Ｂに制御直流電源を供給する。これにより、マイコン５３Ｂは、パワーオンリセット後に初期化される。そして、制御装置４２Ａは、シリアル通信により制御装置４２Ｂに乾燥運転開始指令を与えるようになり、以て、乾燥運転が開始される。なお、この第１の実施形態では、乾燥運転が終了した時点において、制御装置４２Ａが電源遮断回路５２に電源遮断指令を与えるようになっている。
【００３６】
このように、第１の実施形態によれば、洗濯乾燥運転における洗濯運転の実施中はコンプモータ２８およびファンモータ２２が使用されない期間であり、コンプモータ２８およびファンモータ２２を制御する制御装置４２Ｂに対して、その期間中制御直流電源の供給を遮断するようにしたので、制御装置４２Ｂのマイコン５３Ｂおよびゲートドライバ５４Ｂに制御直流電源は供給されず、これらに暗電流（待機電流）が流れることはなく、暗電流の消費を低減、この実施形態では消費をなくすことができ、節電を図ることができる。
【００３７】
制御装置４２Ｂにおいて、マイコン５３Ｂの待機電力は、
５Ｖ×１００ｍＡ＝０．５Ｗ
であり、ゲートドライバ（ＩＣ）５４Ｂの待機電力は、
１５Ｖ×４ｍＡ＝０．０６Ｗ
であり、合計は０．５６Ｗになる。洗濯乾燥運転における洗濯運転の時間すなわちマイコン５３Ｂおよびゲートドライバ５４Ｂへの制御直流電源の供給遮断時間を０．７ｈとすると、その電力量は、
０．５６Ｗ×０．７ｈ＝０．３９２Ｗｈ
となり、これだけの電力量を節約することができる。ドラム式洗濯乾燥機の電源オンでの非動作時待機電力は、操作パネル６６の表示部、バックライトなどを含め制御装置４２Ｂ全体として１０Ｗ程度であり、節電の電力量０．３９２Ｗｈは、総待機電力量
１０Ｗ×０．７ｈ＝７Ｗｈ
の５．６％に相当する。
【００３８】
なお、第１の実施形態では、モータ２８およびファンモータ２２を使用しない洗濯運転の期間中制御装置４２Ｂに対して制御直流電源の供給を遮断するようにしたが、その期間内に制御直流電源の供給を遮断する期間を部分的に設けるようにしてもよく、この場合でも、暗電流の消費を低減することができる。
【００３９】
（第２の実施形態）
図６および図７は第２の実施形態を示す。
この第２の実施形態においては、制御装置４２Ａは、図６に示すように、洗濯乾燥運転が開始される前に発振停止指令を制御装置４２Ｂに与えるようになっている。制御装置４２Ｂのマイコン５３Ｂは、図７に示すように、発振停止制御回路６９を備えており、この発振停止制御回路６９は、制御装置４２Ａからの発振停止指令が与えられるようになっていて、発振停止指令が与えられると、発振回路６０および逓倍回路６２の動作を停止させるようになっている。なお、発振停止制御回路６９は、制御装置４２Ａから停止解除指令が与えられると、発振回路６０および逓倍回路６２の動作を開始させるようになっている。
【００４０】
しかして、制御装置４２Ａは、洗濯乾燥運転が開始される前に、制御装置４２Ｂの発振停止制御回路６９に発振停止指令を与える。これにより、発振停止制御回路６９は、発振回路６０および逓倍回路６２の動作を停止させる。すなわち、発振回路６０の発振停止によりクロックパルスの発生が停止し、逓倍回路６２の逓倍動作の停止によりクロックパルスの供給を遮断する。この結果、マイコン５３Ｂは、クロックパルスの供給がなくなって、動作を停止する。
【００４１】
制御装置４２Ａは、その後、洗濯運転が終了して乾燥運転（「乾燥」行程）に移行する時点になると、発振停止制御回路６９に停止解除指令を与えるようになり、発振停止制御回路６９は、発振回路６０および逓倍回路６２に動作を開始させる。そして、制御装置４２Ａは、シリアル通信により制御装置４２Ｂに乾燥運転開始指令を与えるようになり、以って、乾燥運転が開始される。なお、この第２の実施形態では、乾燥運転が終了した時点において、制御装置４２Ａが発振停止制御回路６９に発振停止指令を与えるようになっている。
【００４２】
第２の実施形態によれば、洗濯乾燥運転における洗濯運転の実施中はコンプモータ２８およびファンモータ２２が使用されない期間であり、コンプモータ２８およびファンモータ２２を制御する制御装置４２Ｂに対して、その期間中クロックパルスを発生しないようにしたので、マイコン５３Ｂは動作を停止した状態になり、暗電流（待機電流）が流れることを抑制して、暗電流の消費を低減でき、節電を図ることができる。
【００４３】
なお、第２の実施形態では、モータ２８およびファンモータ２２を使用しない洗濯運転の期間中制御装置４２Ｂに対してクロックパルスを発生させないようにしたが、その期間内にクロックパルスを発生させない期間を部分的に設けるようにしてもよく、この場合でも、暗電流の消費を低減することができる。
【００４４】
また、第２の実施形態では、発振停止制御回路６９により発振回路６０および逓倍回路６２の両方の動作を停止させるようにしたが、逓倍回路６２を動作状態にして発振回路６０の動作を停止（クロックパルスの発生停止）させるようにしてもよく、或いは、発振回路６０を動作状態にして逓倍回路６２の動作を停止（クロックパルスの供給遮断）させるようにしてもよい。
【００４５】
（第３の実施形態）
図８および図９は第３の実施形態を示す。
この第３の実施形態では、制御装置４２Ａは、図８に示すように、洗濯乾燥運転が開始される前にＣＰＵクロックセレクト指令を制御装置４２Ｂに与えるようになっている。制御装置４２Ｂにおけるマイコン５３Ｂのクロックパルス発生回路５９は、図９に示すように、分周回路７０およびセレクタ７１を備えている。分周回路７０は、逓倍回路６２からの６４ＭＨｚのクロックパルスを分周して、それぞれ３２ＭＨｚ（２分周）、１６ＭＨｚ（４分周）、８ＭＨｚ（８分周）のクロックパルスとして出力する。セレクタ７１は、逓倍回路６２および分周回路７０から与えられるクロックパルスを制御装置４２Ａから与えられるＣＰＵクロックセレクト指令に基づいて選択して出力するもので、与えられるＣＰＵクロックセレクト指令が例えば６４ＭＨｚであれば６４ＭＨｚのクロックパルスを選択して出力し、例えば８ＭＨｚであれば８ＭＨｚのクロックパルスを選択して出力して、ＣＰＵクロックパルスとする。
【００４６】
しかして、制御装置４２Ａは、洗濯乾燥運転が開始される前に、制御岐路４２Ｂのセレクタ７１に例えば８ＭＨｚを選択するＣＰＵクロックセレクト指令を与える。これにより、セレクタ７１は８ＭＨｚのクロックパルスをＣＰＵクロックパルスとして出力し、マイコン４２ＢのＣＰＵ５６は、例えば６４ＭＨｚのクロックパルスが与えられて高速動作する通常時よりも著しく低速の動作を行なうようになる。制御装置４２Ａは、その後、洗濯運転が終了して乾燥運転（「乾燥」行程）に移行する時点になると、セレクタ７１に６４ＭＨｚを選択するＣＰＵクロックセレクト指令を与えるようになり、セレクタ７１は、６４ＭＨｚのクロックパルスを選択してＣＰＵクロックパルスとして出力する。これにより、マイコン４２ＢのＣＰＵ５６は、通常の高速で動作し得るようになる。そして、制御装置４２Ａは、シリアル通信により制御装置４２Ｂに乾燥運転開始指令を与えるようになり、以って、乾燥運転が開始される。なお、この第３の実施形態では、乾燥運転が終了した時点において、制御装置４２Ａはセレクタ７１に８ＭＨｚのＣＰＵセレクト指令を与えるようになっている。
【００４７】
第３の実施形態によれば、洗濯乾燥運転における洗濯運転の実施中はコンプモータ２８およびファンモータ２２が使用されない期間であり、コンプモータ２８およびファンモータ２２を制御する制御装置４２Ｂに対して、その期間中クロックパルスの発生周波数を通常時よりも低下してクロックパルスの供給を低下させるようにしたので、マイコン５３ＢのＣＰＵ５６は通常時よりも低速で動作する状態になり、暗電流の消費を低減でき、節電を図ることができる。
【００４８】
なお、第３の実施形態では、モータ２８およびファンモータ２２を使用しない洗濯運転の期間中制御装置４２Ｂに対してクロックパルスの供給を低下させるようにしたが、その期間内にクロックパルスの供給を低下させる期間を部分的に設けるようにしてもよく、この場合でも、暗電流の消費を低減することができる。
また、第３の実施形態では、分周回路７０を用いて、例えば６４ＭＨｚおよび８ＭＨｚのクロックパルスを得るようにしてが、例えば、高速用の発振子６１の他に低速用の発振子を設けて、これらを切り換えて用いるようにしてもよい。
【００４９】
（第４の実施形態）
図１０および図１１は第４の実施形態を示す。
この第４の実施形態では、制御装置４２Ｂのマイコン５３Ｂにリセット端子（図示せず）が設けられており、このリセット端子に、図１０に示すように、制御装置４２Ａからリセット指令（リセット信号）が与えられるようになっている。
【００５０】
しかして、制御装置４２Ａは、洗濯乾燥運転が開始される前に、制御装置４２Ｂにおけるマイコン５３Ｂのリセット端子にリセット指令としてロウ（Ｌｏｗ）レベルの信号を与える。マイコン５３Ｂは、リセット端子にロウレベルの信号が与えられると、リセット状態になって、図１１に示すように、発振回路６０（図４参照）は動作、ＣＰＵ５６（図４参照）は初期化状態の保持、ＲＡＭ５８（図４参照）は現在の値の保持、Ｉ／Ｏインタフェース（図示せず）は高（ハイ）インピーダンス、Ｉ／Ｏレジスタ（図示せず）は初期値保持の状態となり、暗電流（待機電流）が抑制される。
【００５１】
制御装置４２Ａは、その後、洗濯運転が終了して乾燥運転（「乾燥」行程）に移行する時点になると、マイコン５３Ｂのリセット端子にリセット解除指令としてハイ（Ｈｉｇｈ）レベルの信号を与えるようになる。マイコン５３Ｂは，リセット端子にハイレベルの信号が与えられると、図１１に示すように、発振回路６０は動作、ＣＰＵ５６は通常動作、ＲＡＭ５８はＣＰＵの動作による状態、Ｉ／ＯインタフェースおよびＩ／ＯレジスタはＣＰＵの動作による状態の通常状態になる。そして、制御装置４２Ａは、シリアル通信により制御装置４２Ｂに乾燥運転開始指令を与えるようになり、以って、乾燥運転が開始される。なお、この第４の実施形態では、乾燥運転が終了した時点において、制御装置４２Ａがマイコン５３Ｂのリセット端子にロウレベルの信号を与えるようになっている。
【００５２】
第４の実施形態によれば、洗濯乾燥運転における洗濯運転の実施中はコンプモータ２８およびファンモータ２２が使用されない期間であり、コンプモータ２８およびファンモータ２２を制御する制御装置４２Ｂにおけるマイコン５３Ｂのリセット端子に対して、その期間中リセット指令（リセット信号）を与えるようにしたので、暗電流（待機電流）が流れることを抑制して、暗電流の消費を低減でき、節電を図ることができる。
【００５３】
なお、第４の実施形態では、モータ２８およびファンモータ２２を使用しない洗濯運転の期間中制御装置４２Ｂのマイコン５３Ｂのリセット端子に対してリセット信号を与えるようにしたが、その期間内にリセット端子をリセット信号を与える期間を部分的に設けるようにしてもよく、この場合でも、暗電流の消費を低減することができる。
【００５４】
（その他の実施形態）
上記各実施形態は、ドラム式洗濯乾燥機に適用した場合であるが、水受槽および洗濯槽兼脱水槽たる回転槽が縦軸方向に配置され、回転槽内に撹拌翼を有する洗濯乾燥機にも適用できる。
以上のように、本実施形態によれば、洗い、すすぎ、脱水および乾燥の洗濯乾燥運転を実行するための複数の洗濯機負荷と、これらの洗濯機負荷を制御して前記洗濯乾燥運転を実行させる複数の制御部を有する制御装置とを備え、前記制御装置は、前記洗濯乾燥運転の実行中に使用しない期間を有する洗濯機負荷に対応する制御部に対してその期間内に電源供給を遮断する期間を設けたことを特徴とする。これにより、暗電流（待機電流）が流れることを抑制して、暗電流の消費を低減でき、節電を図ることができる。
【００５５】
以上、いくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００５６】
図面中、５は洗濯機モータ（洗濯機負荷）、７はドラム、２２はファンモータ（洗濯機負荷）、２４はファン、２７はコンプレッサ、２８はコンプモータ（洗濯機負荷）、３４、３８および４０はインバータ回路、４２Ａおよび４２Ｂは制御装置、４３は駆動電源回路、５１は制御電源回路、５３Ａおよび５３Ｂはマイクロコンピュータ（制御部）、５９はクロックパルス発生回路を示す。
【図１】
2013153928.tif 000003
【図２】
2013153928.tif 000004
【図３】
2013153928.tif 000005
【図４】
2013153928.tif 000006
【図５】
2013153928.tif 000007
【図６】
2013153928.tif 000008
【図７】
2013153928.tif 000009
【図８】
2013153928.tif 000010
【図９】
2013153928.tif 000011
【図１０】
2013153928.tif 000012
【図１１】
2013153928.tif 000013